(57)【要約】【課題】煩雑な作業を要することなく、検査時に得られた情報を選択的に記憶させることを目的とする。【解決手段】第１の撮影装置による放射線撮影が予め定められた条件を満たす場合に、放射線撮影の間に第１の撮影装置と異なる第２の撮影装置により動画撮影された動画像を取得する取得手段と、動画像を、放射線撮影に係る撮影情報に対応付けて記憶手段に記憶させる制御手段とを有する。【選択図】図７
2019166275.tif 000002
【特許請求の範囲】
【請求項１】
第１の撮影装置による放射線撮影が予め定められた条件を満たす場合に、前記放射線撮影の間に前記第１の撮影装置と異なる第２の撮影装置により動画撮影された動画像を取得する取得手段と、
前記動画像を、前記放射線撮影に係る撮影情報に対応付けて記憶手段に記憶させる制御手段と
を有することを特徴とする情報処理装置。
【請求項２】
検査期間を示す情報を前記第２の撮影装置に送信する送信手段をさらに有し、
前記取得手段は、前記第２の撮影装置から前記検査期間の動画像を取得することを特徴とする請求項１に記載の情報処理装置。
【請求項３】
前記条件は、写損と判定されたことであることを特徴とする請求項１又は２に記載の情報処理装置。
【請求項４】
前記条件は、体動による写損と判定されたことであることを特徴とする請求項３に記載の情報処理装置。
【請求項５】
前記条件は、検査期間が予め定められた閾値よりも長いことであることを特徴とする請求項３に記載の情報処理装置。
【請求項６】
前記取得手段は、前記第１の撮影装置が撮影を終了した後、撮影を再開した場合に、再開する前の検査期間の動画像を取得することを特徴とする請求項１乃至５の何れか１項に記載の情報処理装置。
【請求項７】
前記動画像を表示手段に表示するよう制御する表示処理手段をさらに有することを特徴とする請求項１乃至６の何れか１項に記載の情報処理装置。
【請求項８】
前記第２の撮影装置は、放射線撮影に係る撮影室内を撮影するカメラ装置であることを特徴とする請求項１乃至７の何れか１項に記載の情報処理装置。
【請求項９】
前記撮影情報は、前記放射線撮影により得られた放射線撮影画像を含むことを特徴とする請求項１乃至８の何れか１項に記載の情報処理装置。
【請求項１０】
撮影装置による放射線撮影が予め定められた条件を満たす場合に、前記放射線撮影の間に録音された音声を取得する取得手段と、
前記音声を、前記放射線撮影に係る撮影情報に対応付けて記憶手段に記憶させる制御手段と
を有することを特徴とする情報処理装置。
【請求項１１】
第１の撮影装置による放射線撮影が予め定められた条件を満たす場合に、前記放射線撮影の間に前記第１の撮影装置と異なる第２の撮影装置により動画撮影された動画像を取得する取得ステップと、
前記動画像を、前記放射線撮影に係る撮影情報に対応付けて記憶手段に記憶させる制御ステップと
を含むことを特徴とする情報処理方法。
【請求項１２】
撮影装置による放射線撮影が予め定められた条件を満たす場合に、前記放射線撮影の間に録音された音声を取得する取得ステップと、
前記音声を、前記放射線撮影に係る撮影情報に対応付けて記憶手段に記憶させる制御ステップと
を含むことを特徴とする情報処理方法。
【請求項１３】
コンピュータを、請求項１乃至１０の何れか１項に記載の情報処理装置の各手段として機能させるためのプログラム。
【発明の詳細な説明】
【技術分野】
【０００１】
本発明は、放射線撮影に係る情報処理装置、情報処理方法及びプログラムに関する。
【背景技術】
【０００２】
従来、検査中の被写体の状態の把握や、検査の実施状況の記録を目的として、病院の撮影室内にカメラ装置を設置することがある。このとき、放射線撮影システムとカメラ装置を連携して、放射線撮影システムが保持する情報をカメラ装置の映像と合成して保存する装置も知られている。特許文献１には、検査室の全体映像と手元映像、音声と放射線撮影装置情報を合成して情報記憶装置に保存する技術が開示されている。
【先行技術文献】
【特許文献】
【０００３】
【特許文献１】特開２００４−４１６０５号公報
【発明の概要】
【発明が解決しようとする課題】
【０００４】
しかしながら、特許文献１に係る従来技術では、すべての検査についてカメラ映像が保存されてしまう。このため、技師の技量向上のために正常に終了しなかった検査の情報のみを記録しておきたい場合には、技師は検査毎に写損の有無や検査に要した時間を確認し、カメラ映像と音声を保存しておくか判断する必要があり、効率的でなかった。
【０００５】
本発明はこのような問題点に鑑みなされたもので、煩雑な作業を要することなく、検査時に得られた情報を選択的に記憶させることを目的とする。
【課題を解決するための手段】
【０００６】
そこで、本発明は、情報処理装置であって、第１の撮影装置による放射線撮影が予め定められた条件を満たす場合に、前記放射線撮影の間に前記第１の撮影装置と異なる第２の撮影装置により動画撮影された動画像を取得する取得手段と、前記動画像を、前記放射線撮影に係る撮影情報に対応付けて記憶手段に記憶させる制御手段とを有することを特徴とする。
【発明の効果】
【０００７】
本発明によれば、煩雑な作業を要することなく、検査時に得られた情報を選択的に記憶させることができる。
【図面の簡単な説明】
【０００８】
【図１】放射線撮影システムの全体図である。
【図２】放射線検出器のハードウェア構成図である。
【図３】撮影制御装置のハードウェア構成図である。
【図４】カメラ装置のハードウェア構成図である。
【図５】録音装置のハードウェア構成図である。
【図６】検査開始から終了までの流れを示すフローチャートである。
【図７】記憶処理を示すフローチャートである。
【図８】動画データ送信処理を示すフローチャートである。
【図９】音声データ送信処理を示すフローチャートである。
【図１０】再開処理を示すフローチャートである。
【図１１】第１の再生画面を示す図である。
【図１２】第２の再生画面を示す図である。
【発明を実施するための形態】
【０００９】
以下、本発明の実施形態について図面に基づいて説明する。
図１は、実施形態に係る放射線撮影システム１０の全体図である。ここで、放射線は、Ｘ線に限られるものではなく、α線、β線、γ線、粒子線、宇宙線等も含むものとする。放射線撮影システム１０は、放射線発生装置１１と、放射線検出器１２と、撮影制御装置１３と、カメラ装置１５と、録音装置１６とを有しており、外部システム１４と連携する。放射線発生装置１１は、放射線を発生させる放射線管を具備しており、被写体である患者に対して放射線を曝射する。放射線検出器１２は、放射線発生装置１１から照射された放射線を検出し、放射線撮影画像（動画像）を取得して撮影制御装置１３に出力する。放射線発生装置１１及び放射線検出器１２は、被写体の撮影に適した位置に配置されているものとする。
【００１０】
撮影制御装置１３は、放射線検出器１２で検出した放射線撮影画像に対して画像処理を施して、放射線画像として表示する。ここで、放射線撮影画像は、動画撮影により得られた動画像である。撮影制御装置１３は、放射線発生装置１１及び放射線検出器１２と、有線または無線で接続されており、各機器の動作を制御する。また、撮影制御装置１３は、外部システム１４、カメラ装置１５、録音装置１６とネットワークを介して接続されており、検査情報や動画データ等を送受信することができる。撮影制御装置１３は、情報処理装置の一例である。
【００１１】
外部システム１４は、撮影制御装置１３と連携する外部の情報システムであり、例えば放射線部門内では一般的にＲＩＳ（Ｒａｄｉｏｌｏｇｙ  Ｉｎｆｏｒｍａｔｉｏｎ  Ｓｙｓｔｅｍ)として実現されるものである。カメラ装置１５は、撮影室内における検査の実施状況を動画で記録し、撮影制御装置１３へ動画データを送信する。録音装置１６は、撮影室内における検査の実施状況を音声で記録し、撮影制御装置１３へ音声データを送信する。なお、カメラ装置１５と録音装置１６はビデオカメラのように一つの装置であってもよい。
【００１２】
図２は、放射線検出器１２のハードウェア構成図である。放射線検出器１２は、撮影部１２１と、通信部１２２と、記憶部１２３と、を有している。撮影部１２１は、放射線発生装置１１から照射された放射線を検出し、放射線撮影画像を取得する。通信部１２２は、撮影制御装置１３との間で放射線撮影画像等のデータの送受信を行う。記憶部１２３は、撮影部１２１で受信した放射線撮影画像を記憶する。
【００１３】
図３は、撮影制御装置１３のハードウェア構成図である。撮影制御装置１３は、表示部１３１と、操作部１３２と、通信部１３３と、制御部１３４と、記憶部１３５と、を有している。表示部１３１は、例えば液晶ディスプレイ等で構成され、各種情報を表示する。表示部１３１は、例えば、操作者に向けて検査情報、撮影された放射線画像等を表示する。操作部１３２は、例えば、マウス、キーボード、放射線照射スイッチ、または各種ボタン等で構成され、操作者からの入力情報を受け付ける。通信部１３３は、外部装置との通信を行う。制御部１３４は例えば、外部システム１４から患者情報、検査情報等を取得する。
【００１４】
制御部１３４は、例えばＣＰＵ等であり、撮影制御装置１３の全体を制御する。制御部１３４はさらに、放射線発生装置１１及び放射線検出器１２を制御し、放射線撮影を行う。記憶部１３５は、各種情報を記憶する。記憶部１３５は例えば、通信部１３３が取得した患者情報や検査情報、放射線検出器１２から取得した放射線撮影画像、カメラ装置１５から取得した撮影画像、録音装置１６から取得した音声データ等を記憶する。ここで撮影画像は動画とする。なお、後述する撮影制御装置１３の機能や処理は、制御部１３４が記憶部１３５に格納されているプログラムを読み出し、このプログラムを実行することにより実現されるものである。
【００１５】
図４は、カメラ装置１５のハードウェア構成図である。カメラ装置１５は、撮影部１５１と、通信部１５２と、記憶部１５３と、制御部１５４と、を有している。撮影部１５１は、撮影を行い、カメラ動画を取得する。通信部１５２は、撮影制御装置１３との間でカメラ動画等のデータの送受信を行う。記憶部１５３は、撮影部１５１で取得したカメラ動画を記憶する。制御部１５４は、撮影部１５１を制御し撮影の開始、終了を行う。制御部１５４はまた、記憶部１５３を制御しカメラ動画の切り出しを行う。
【００１６】
図５は、録音装置１６のハードウェア構成図である。録音装置１６は、マイク１６１と、通信部１６２と、記憶部１６３と、制御部１６４と、を有している。マイク１６１は、録音を行い、音声データを取得する。通信部１６２は、撮影制御装置１３との間で音声データ等のデータの送受信を行う。記憶部１６３は、マイク１６１で取得した音声データを記憶する。制御部１６４は、マイク１６１を制御し撮影の開始、終了を行う。制御部１６４はまた、記憶部１６３を制御し音声データの切り出しを行う。
【００１７】
図６は、検査開始から終了までの流れを示すフローチャートである。Ｓ６０１において、技師は、操作部１３２を介して、外部システム１４から撮影指示情報を含む検査情報の取得を指示する。これに対し、制御部１３４は、通信部１３３を介して外部システム１４から検査情報を取得する。他の例としては、制御部１３４は、操作部１３２において技師により手動で入力された検査情報を取得してもよい。
【００１８】
次に、Ｓ６０２において、技師は、撮影室に来た患者の情報（患者ＩＤや患者名）を確認し、撮影場所へ案内する。次に、Ｓ６０３において、技師は、操作部１３２を介して該当患者の検査について検査開始を指示する。次に、Ｓ６０４において、技師は、放射線発生装置１１を介して放射線曝射を指示し、放射線発生装置１１は患者へ放射線を曝射する。次に、Ｓ６０５において、技師は、表示部１３１に表示された放射線撮影画像を確認した後、未撮影のプロトコルが残っていれば、次の撮影を行う（Ｓ６０５でＮＯ）。一方、すべての撮影が終了していれば（Ｓ６０５でＹＥＳ）、技師は、Ｓ６０６において、操作部１３２を介して検査終了する。
【００１９】
なお、写損等の理由で一度終了した検査が再開される場合には、技師は、操作部１３２を介して、実施済みの検査一覧から再撮影を行う検査を選択し、検査を再開する。この場合、再び、上記Ｓ６０２以降の処理が行われる。
【００２０】
図７は、撮影制御装置１３による記憶処理を示すフローチャートである。記憶処理は、検査終了後に実行される処理である。Ｓ７０１において、制御部１３４は、終了した検査内容が撮影画像と音声の記憶条件を満たしているか否かを判定する。ここで、記憶条件は、予め定められた条件である。記憶条件は、例えば、検査中に１度でも写損ボタンが押下されたこと、体動やポジショニングなど検査室内の状況に起因する写損理由が技師によって入力または選択されたこと等が挙げられる。記憶条件はまた、事前に記憶しておいた教師データとなる同一内容の検査データと比較して検査開始から検査終了までの時間が長いこと、すなわち検査期間が閾値よりも長いことであってもよい。記憶条件は、これらのいずれか一つでもよいし、複数を組み合わせてもよい。なお、記憶条件は、予め定められた条件であればよく、上記に限定されるものではない。制御部１３４は、検査内容が記憶条件を満たす場合には（Ｓ７０１でＹＥＳ）、処理をＳ７０２へ進める。制御部１３４は、記憶条件を満たさない場合には（Ｓ７０１でＮＯ）、記憶処理を終了する。
【００２１】
Ｓ７０２において、制御部１３４は、検査期間の開始点と終了点をカメラ装置１５へ送信する。ここで、開始点は、例えば検査開始時刻である。また他の例としては、外部システム１４で患者の入室の管理を行う場合には、外部システム１４から撮影制御装置１３に送信された患者の入室時刻を検査開始時刻としてもよい。終了点は、検査終了が実施された時刻である。次に、Ｓ７０３において、制御部１３４は、開始点から終了点までの動画データを受信する。本処理は、検査が予め定められた条件を満たす場合に、検査の間に撮影された撮影画像を取得する取得処理の一例である。なお、撮影画像は、検査のうち放射線撮影の間に撮影されたものであってもよい。次に、Ｓ７０４において、制御部１３４は、受信した動画データに検査を識別する検査ＩＤを対応付けて、記憶部１３５に記憶させる。検査ＩＤにより動画データは、検査に係る検査情報と紐付けられる。ここで、検査情報は、放射線画像や、撮影条件、患者の情報等を含むものとする。本処理は、撮影画像を検査情報に対応付けて記憶させる制御処理の一例である。なお、本実施形態においては、動画データを検査情報に紐付けることとしたが、他の例としては、動画データを放射線撮影に係る撮影情報に対応付けて記憶させることとしてもよい。
【００２２】
次に、Ｓ７０５において、制御部１３４は、開始点と終了点を録音装置１６へ送信する。次に、Ｓ７０６において、制御部１３４は、開始点から終了点までの音声データを受信する。次に、Ｓ７０７において、制御部１３４は、受信した音声データに検査ＩＤを対応付けて、記憶部１３５に記憶させる。以上で記憶処理が完了する。なお、Ｓ７０７の処理は、音声データを検査情報に対応付けて記憶させる制御処理の一例である。なお、本実施形態においては、音声データを検査情報に紐付けることとしたが、他の例としては、音声データを撮影情報に対応付けて記憶させることとしてもよい。
【００２３】
図８は、カメラ装置１５による動画データ送信処理を示すフローチャートである。Ｓ８０１において、カメラ装置１５の制御部１５４は、撮影を開始し、得られた動画データを記憶部１５３に記憶させる。次に、Ｓ８０２において、制御部１５４は、通信部１５２を介して撮影制御装置１３から開始点と終了点を受信する。次に、Ｓ８０３において、制御部１５４は、開始点から終了点までの動画データを記憶部１５３から抽出する。次に、Ｓ８０４において、制御部１５４は、抽出した動画データを、通信部１５２を介して撮影制御装置１３へ送信する。以上で動画データ送信処理が完了する。
【００２４】
図９は、録音装置１６による音声データ送信処理を示すフローチャートである。Ｓ９０１において、録音装置１６の制御部１６４は、録音を開始し、得られた音声データを記憶部１５３に記憶させる。次に、Ｓ９０２において、制御部１６４は、通信部１６２を介して撮影制御装置１３から開始点と終了点を受信する。次に、Ｓ９０３において、制御部１６４は、開始点から終了点までの音声データを記憶部１６３から抽出する。次に、Ｓ９０４において、制御部１６４は、抽出した音声データを、通信部１６２を介して撮影制御装置１３へ送信する。以上で音声データ送信処理が完了する。
【００２５】
図１０は、撮影制御装置１３によって実行される再開処理を示すフローチャートである。再開処理は、検査終了後に検査が再開され患者情報の確認等が行われ、検査が開始された後で実行される処理である。すなわち、再開処理は、再開された検査において、Ｓ６０２、Ｓ６０３の処理が実行された後で、かつＳ６０４の処理が実行される前に実行される処理である。
【００２６】
Ｓ１００１において、撮影制御装置１３の制御部１３４は、再開された検査の前回の検査時の開始点と終了点を記憶部１３５から抽出し、カメラ装置１５へ送信する。次に、Ｓ１００２において、制御部１３４は、カメラ装置１５から送信された開始点から終了点までの動画データを受信する。次に、Ｓ１００３において、制御部１３４は、受信した動画データに前回の検査時の検査ＩＤを対応付けて記憶部１３５に記憶させる。次に、Ｓ１００４において、制御部１３４は、前回の検査時の開始点と終了点を録音装置１６へ送信する。
【００２７】
次に、Ｓ１００５において、制御部１３４は、録音装置１６から送信された開始点から終了点までの音声データを受信する。次に、Ｓ１００６において、制御部１３４は、受信した音声データに前回検査時の検査ＩＤを対応付けて記憶部１３５に記憶させる。以上で再開処理が完了する。再開処理が行われた後、技師は、Ｓ６０４以降の処理を行う。そして、撮影制御装置１３は、検査が終了した後で、再び記憶処理を実行する。なお、他の例としては、撮影制御装置１３は、曝射処理（Ｓ６０４）以降の処理と並行して再開処理を実行してもよい。
【００２８】
図１１は、第１の再生画面１１０１を示す図である。撮影制御装置１３の制御部１３４は、検査終了後に第１の再生画面１１０１を表示部１３１に表示する。再生画面１１０１には、検査一覧１１０２、動画データ１１０３、関連情報１１０４、再生制御ボタン１１０５、音量制御ボタン１１０６が表示されている。検査一覧１１０２は、記憶部１３５に記憶された検査一覧の情報である。技師は、検査一覧１１０２において、撮影日や患者情報、検査情報から閲覧する検査を絞り込み、該当のレコードを選択することができる。検査一覧１１０２で技師が選択した検査に関連付けられた動画データが動画データ１１０３として表示される。
【００２９】
検査一覧１１０２で技師が選択した検査に関連する情報が関連情報１１０４として表示される。例えば、動画データのＩＤ、撮影時刻、撮影時間、患者ＩＤ、患者氏名、性別、生年月日、検査ＩＤ、撮影プロトコル、放射線撮影画像情報等が関連情報１１０４として表示される。放射線撮影画像については、画像再生用のボタンを配置し、これをクリックすることで放射線撮影画像を全画面表示してもよい。
【００３０】
再生制御ボタン１１０５は、動画データ表示部１００３で表示中の動画データを制御するためのＵＩである。制御の例として、再生、一時停止、停止、巻き戻し、早送り、全画面表示などがあるが、これらに限らない。技師は、これらの再生制御を行うことで放射線撮影実施状況を閲覧する。また再生制御ボタン１１０５は音声データも制御する。音声データは動画データに連動して制御される。音量制御ボタン１１０６は音声データの再生音量を制御する。制御部１５４は、再生画面１１０１における制御に応じて、放射線画像だけでなく、動画データを再生表示するよう制御することができる。本処理は、表示処理の一例である。また、制御部１５４は、再生画面１１０１における制御に応じて音声を再生するよう制御することができる。
【００３１】
図１２は、第２の再生画面１２０１を示す図である。撮影制御装置１３の制御部１３４は、検査中に第２の再生画面１２０１を表示部１３１に表示する。技師は、第２の再生画面１２０１により撮影方法を確認することができる。第２の再生画面１２０１には、教師データ選択情報１２０２、動画データ１２０３、関連情報１２０４、再生制御ボタン１２０５、音量制御ボタン１２０６が表示されている。
【００３２】
教師データ選択情報１２０２は、撮影制御装置１３の記憶部１３５に記憶された検査の情報である。ここで表示される検査は事前に撮影方法を確認するために作成された教師データの検査である。教師データである検査に含まれる撮影プロトコル１つのみであり、模範となる動画データと音声データが対応付けられている。教師データ選択情報１２０２では、実施中の検査と同一撮影プロトコルの検査が初期選択される。教師データ選択情報１２０２は例えばドロップリストになっており、技師は任意の検査を選択することができる。教師データ選択情報１２０２で選択された検査に関連付けられた動画データが動画データ１２０３として表示される。教師データ選択情報１２０２で選択された検査に関連する情報または実施中の検査に関連する情報が関連情報１２０４として表示される。
【００３３】
技師は表示情報切り替えタブ１２０７を操作し、教師データの情報または、実施中検査の情報を選択し表示する。再生画面１２０１上に教師データとなる動画データを表示しながら、検査を行うことで、ポジショニング方法等の確認が容易になり、撮影の効率があがる。
【００３４】
以上のように、実施形態の撮影制御装置１３は、カメラ装置１５と録音装置１６が連携することで、記憶条件を満たす場合にのみ、動画データ及びデータを記憶させることができる。この結果、技師は動画データと音声データに対する操作が必要なくなり、検査作業の効率が良くなる。すなわち、撮影制御装置１３は、煩雑な作業を要することなく、検査時に得られた情報のうち技師等が要する情報を選択的に記憶させることができる。
【００３５】
なお、本実施形態の第１の変形例としては、撮影室に複数台のカメラ装置１５が設置されている場合には、撮影制御装置１３は、複数の動画データを検査ＩＤに対応付けて記憶させてもよい。
【００３６】
第２の変形例としては、カメラ装置１５による撮影や録音装置１６による録音は、開始時点から撮影時点までとしてもよい。また、カメラ装置１５は撮影制御装置１３に送信していない動画データを一定期間保持するものとしてもよい。同様に、録音装置１６は、撮影制御装置１３に送信していない音声データを一定期間保持するものとしてもよい。
【００３７】
第３の変形例としては、撮影画像は、動画データに替えて静止画データであってもよい。この場合には、撮影制御装置１３は、記憶条件を満たす場合に、検査期間中に撮影された少なくとも１つの静止画データを検査ＩＤに対応付けて記憶させればよい。
【００３８】
以上、本発明の好ましい実施形態について詳述したが、本発明は係る特定の実施形態に限定されるものではなく、特許請求の範囲に記載された本発明の要旨の範囲内において、種々の変形・変更が可能である。
【００３９】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００４０】
１３  撮影制御装置
１３１  表示部
１３４  制御部
１３５  記憶部
【図１】
2019166275.tif 000003
【図２】
2019166275.tif 000004
【図３】
2019166275.tif 000005
【図４】
2019166275.tif 000006
【図５】
2019166275.tif 000007
【図６】
2019166275.tif 000008
【図７】
2019166275.tif 000009
【図８】
2019166275.tif 000010
【図９】
2019166275.tif 000011
【図１０】
2019166275.tif 000012
【図１１】
2019166275.tif 000013
【図１２】
2019166275.tif 000014